(57)【特許請求の範囲】
【請求項１】
時刻を指示する指針と、
露出する箇所を備える開口部又は切欠き部が設けられた第１文字板と、
この第１文字板の下側に配置されて前記開口部又は前記切欠き部から露出し前記指針の駆動軸と同心的な箇所に複数の機能表示部が形成された第２文字板と、
前記第１文字板と前記第２文字板との間に配置され、前記開口部又は前記切欠き部に一部が露出し当該第２文字板の上で回転することによって前記複数の機能表示部のうちの１つを選択的に指示する機能指示部と、前記開口部又は前記切欠き部の前記露出する箇所で選択的に指示される他の複数の機能表示部と、が形成された円盤状指示部材と、
を備え、
前記指針と前記円盤状指示部材とは前記駆動軸を回転中心として回転するように構成されていることを特徴とする腕時計。
【請求項２】
前記他の複数の機能表示部は、前記円盤状指示部材の上面に形成され、
前記第１文字板には前記円盤状指示部材の回転に伴って前記他の複数の機能表示部の１つを選択的に指示する他の機能指示部が形成されていることを特徴とする請求項１に記載の腕時計。
【請求項３】
前記第１文字板と前記第２文字板との間には、前記円盤状指示部材の上方に、針先部を備えた機能指示針が設けられ、
前記機能指示針は、前記駆動軸を回転中心として回転し、この回転によって、前記針先部が前記第１文字板に形成された開口部又は切欠き部から露出可能に構成され、当該開口部又は切欠き部から露出する箇所で、前記第２文字板に形成された複数の機能表示部の１つを選択的に指示するように構成されていることを特徴とする請求項１又は２に記載の腕時計。
【発明の詳細な説明】
【技術分野】
【０００１】
本発明は腕時計に関するものである。
【背景技術】
【０００２】
従来、アナログ式腕時計として、上文字板の一部に切欠き部を形成するとともに、上文字板と下文字板との間に副針（機能指示部材）を回転自在に配設し、下文字板に前記切欠き部から露出するように複数の機能表示部を形成し、前記副針の針先によって前記複数の機能表示部の１つを指示させるようにしたものが知られている（例えば、特許文献１参照）。
【先行技術文献】
【特許文献】
【０００３】
【特許文献１】特開２００９−２８１９６１号公報
【発明の概要】
【発明が解決しようとする課題】
【０００４】
ところで、特許文献１に開示されたアナログ式腕時計では、副針が、時刻を指し示す指針の軸（主軸）とは離れた軸（副軸）に取り付けられている。
そのため、副針は主軸に干渉しないように、その大きさが制限される。すなわち、副針の半径方向の長さ寸法をあまり大きくできないため、下文字板の指標部も小さくせざるを得ず、その結果として、視認性が悪くなるという問題がある。
また、腕時計の場合、時刻を指示する指針の駆動軸と同心的に複数の目盛（機能表示部）が配置される場合には、副針が指示する目盛が読みやすいが、指針の駆動軸とは離れた軸と同心的に複数の目盛が配置されている場合には、副針が指示する目盛が読みにくいという問題もある。
【０００５】
本発明は、かかる問題点に鑑みなされたもので、機能目盛り等の機能表示部の視認性を高めることができ、且つ、機能表示部が読みやすい腕時計を提供することを目的とする。
【課題を解決するための手段】
【０００６】
本発明に係る腕時計は、
時刻を指示する指針と、
露出する箇所を備える開口部又は切欠き部が設けられた第１文字板と、
この第１文字板の下側に配置されて前記開口部又は前記切欠き部から露出し前記指針の駆動軸と同心的な箇所に複数の機能表示部が形成された第２文字板と、
前記第１文字板と前記第２文字板との間に配置され、前記開口部又は前記切欠き部に一部が露出し当該第２文字板の上で回転することによって前記複数の機能表示部のうちの１つを選択的に指示する機能指示部と、前記開口部又は前記切欠き部の前記露出する箇所で選択的に指示される他の複数の機能表示部と、が形成された円盤状指示部材と、
を備え、
前記指針と前記円盤状指示部材とは前記駆動軸を回転中心として回転するように構成されていることを特徴とする。
【発明の効果】
【０００７】
本発明によれば、機能指示針が時刻を示す指針と同じ指針駆動軸に配設されているので、半径方向の長さ寸法を十分に確保できる。したがって、円盤状指示部材の機能指示部によって指示できる機能表示部を大きくすることができるので、視認性を高めることができる。
また、指針の駆動軸と同心的な箇所に複数の機能表示部が形成されているので、機能指示部が指示する機能表示部が読みやすくなる。
【図面の簡単な説明】
【０００８】
【図１】本発明に係るアナログ式腕時計の一実施形態を示した平面図である。
【図２】図１に示したアナログ式腕時計におけるＩＩ−ＩＩ線断面図である。
【図３】本実施形態のアナログ式腕時計の上文字板、下見切り板、円盤状指示部材及び下文字板を分解して示した斜視図である。
【図４】図３に示した各部品を組み付けた状態の斜視図である。
【図５】図４における組立体のＶ−Ｖ線に沿った断面斜視図である。
【図６】図１に示したアナログ式腕時計における要部断面図である。
【図７】ストップウォッチとして作動させた複数の状態を示す文字板構造の平面図である。
【図８】本発明に係るアナログ式腕時計の第２実施形態を示した平面図である。
【図９】図８に示したアナログ式腕時計におけるＩＸ−ＩＸ線に沿った断面図である。
【図１０】図８に示したアナログ式腕時計における駆動軸周りの断面図である。
【図１１】第２実施形態の機能表示部の変形例を示した平面図である。
【図１２】第２実施形態の副針の変形例を示した斜視図である。
【発明を実施するための形態】
【０００９】
以下、本発明に係る腕時計の実施形態を図面に基づいて説明する。
【００１０】
（第１実施形態）
実施形態の腕時計１００はアナログ式腕時計であり、この腕時計１００は、図１及び図２に示すように、時計本体を構成している腕時計ケース１を備えている。
この腕時計ケース１の上部外周にはベゼル２が取り付けられている。また、この腕時計ケース１の上端開口部には時計ガラス３がパッキン３ａを介して取り付けられている。さらに、この腕時計ケース１の下部には裏蓋４が防水リング４ａを介して取り付けられている。また、この腕時計ケース１の外周部にはりゅうずＳＲ及び複数の押釦スイッチＳ１，Ｓ２，Ｓ３等が取り付けられている。
【００１１】
また、腕時計ケース１には、腕時計の１２時及び６時のそれぞれの方向に、腕時計バンド３０を取り付けるためのバンド取付部３１が設けられている。
【００１２】
さらに、腕時計ケース１の内部には、時計モジュール６ａが設けられたハウジング６と、図３に示す下文字板７、円盤状指示部材８、下見切り板９及び上文字板１０とが配置されている。
【００１３】
まず、上文字板１０について説明する。
この上文字板１０は、例えば、ポリカーボネート（ＰＣ）やアクリル（ＰＭＭＡ）などの透明又は半透明の合成樹脂からなる。この上文字板１０には、図３から図５に示すように、軸挿入孔１０ａが形成されている。また、この上文字板１０には、時計の６時付近から１０時付近の範囲に亘る切欠き部１１が形成されている。
この切欠き部１１は、時計の６時の方向から上文字板１０の中心に向かって延びる辺１１ａと、腕時計の１０時の方向から上文字板１０の中心に向かって延びる辺１１ｂと、上文字板１０の直径方向に平行に延び辺１１ａと辺１１ｂとを結ぶ辺１１ｃとによって区画形成されている。
また、辺１１ｂの中央部には、切欠き部１１に向けて突出する三角状突起からなる機能指示部（情報表示部）１２が形成されている。
また、上文字板１０には、当該上文字板１０の中心と３時を表示する時字の中間位置に開口部である円形の窓１３が形成されている。この窓１３の周縁部分は、上文字板１０の表面から盛り上がった環状の見切り枠１４を構成している。この見切り枠１４は、例えば、黄銅（Ｂｓ）などの銅合金や、アルミニウム（Ａｌ）などの金属からなる。
また、上文字板１０には、時計の２時付近から４時付近の範囲に亘る切欠き部１５が形成されている。この切欠き部１５は、時計の２時付近から上文字板１０の中心に向かって延び見切り枠１４に至る辺１５ａと、時計の４時付近から上文字板１０の中心に向かって延び見切り枠１４に至る辺１５ｂと、辺１５ａと辺１５ｂとを結ぶ見切り枠１４の外縁とによって区画形成されている。
なお、上記見切り枠１４には、時計の３時の方向に向けて凹となる切欠き部１４ａが形成されている。また、上文字板１０の上には上見切り部材１９が設けられ、この見切り部材４２には時字が設けられると共に、時字の周囲には、世界の各都市を表すワールドタイム表示部（図示せず）が形成されている。
【００１４】
次に、下見切り板９について説明する。
この下見切り板９は、例えば、黄銅（Ｂｓ）などの銅合金や、アルミニウム（Ａｌ）などの金属からなる。そして、この下見切り板９はリング状に形成されている。この下見切り板９の上には上文字板１０が載置され、この下見切り板９の下側には下文字板７が設けられている。そして、この下見切り板９は上文字板１０と下文字板７とによって挟持され、この状態で、上文字板１０のビス４０を下文字板７の雌ねじ部４１に螺合させることによって、下見切り板９に上文字板１０及び下文字板７が取り付けられている。この結果、下見切り板９は、上文字板１０と下文字板７との間に所定の隙間を形成するスペーサとして機能している。
また、この下見切り板９に取り付けられた上文字板１０及び下文字板７の間には、円盤状指示部材８が配置されている。
【００１５】
次に、下文字板７について説明する。
この下文字板７は略円形に形成されている。この下文字板７は、例えば、ポリカーボネート（ＰＣ）やアクリル（ＰＭＭＡ）などの透明又は半透明の合成樹脂からなる。この下文字板７の中心には軸挿入孔７ａが形成されている。
また、下文字板７の表面には見切り枠１６，１７が形成されている。この見切り枠１６，１７は、例えば、黄銅（Ｂｓ）などの銅合金や、アルミニウム（Ａｌ）などの金属からなる。
このうち見切り枠１６は、下文字板７の中心側に向けて凹となるように円弧状に形成されている。この見切り枠１６は、上文字板１０の切欠き部１１に相当する領域に、上文字板１０の辺１１ａから辺１１ｂに亘って円弧状に形成されている。この見切り枠１６の内周面の曲率半径は円盤状指示部材８の曲率半径よりも僅かに大きい程度である。この見切り枠１６の形成位置は、図６に示すように、内周面が円盤状指示部材８の外周面に対峙する位置である。この見切り枠１６は、当該円盤状指示部材８の外周面や、下文字板７と上文字板１０との隙間を腕時計ガラス３側から視認できないように機能する。
一方、見切り枠１７は、下文字板７の中心側に向けて凹となるように三日月状に形成されている。この見切り枠１７は、上文字板１０の見切り枠１４の下方となる領域に形成されている。この見切り枠１７の内周面の曲率半径は円盤状指示部材８の曲率半径よりも僅かに大きい程度である。この見切り枠１７の形成位置は、内周面が円盤状指示部材８の外周面に対峙する位置であり、且つ、見切り枠１４の一部が着座する位置である。この見切り枠１７は、日窓用に時計の３時方向が切り欠かれている。この見切り枠１７は、当該円盤状指示部材８の外周面や、下文字板７と上文字板１０との隙間を腕時計ガラス３側から視認できないように機能する。
また、下文字板７の表面には、見切り枠１６よりも当該下文字板７の半径方向外方位置に、ストップウォッチ機能の中の細目機能を示す複数の機能表示部（情報表示部）である「ＳＰＬ」４３ａ，「ＳＴＰ」４３ｂ，「ＲＵＮ」４３ｃが形成されている。この複数の機能表示部は上文字板７の円周方向に沿って所定の間隔で形成されている。
ここで、ＳＰＬはスプリット表示機能、ＳＴＰはストップ機能、ＲＵＮは積算時間計時機能を意味している。
なお、図１及び図３等において符号４３は複数の機能表示部の「ＳＰＬ」４３ａ，「ＳＴＰ」４３ｂ，「ＲＵＮ」４３ｃが形成された機能表示領域（情報表示領域）を指示している。
【００１６】
次に、円盤状指示部材８について説明する。
この円盤状指示部材８は、例えば、アルミニウム（Ａｌ）によって形成されている。この円盤状指示部材８の中心には軸挿入孔８ａが形成されている。この軸挿入孔８ａの直ぐ外側には円盤状指示部材８の中心をかなめとする扇型の孔８ｂが４個形成されている。この孔８ｂを形成したのは、ソーラーパネル２０へ到達する光量を増大させるためである。また、円盤状指示部材８の表面には外周部に複数の機能表示部（情報表示部）ＴＭ，ＳＴ，ＴＲ，ＡＬ，ＷＴと、矢印からなる機能指示部（情報指示部）１８と、扇型の複数の指標部（情報部）１９ａ，１９ｂ，１９ｃが形成されている。
ここで、ＴＭは基本腕時計機能、ＳＴはストップウォッチ機能、ＴＲはタイマー機能、ＡＬはアラーム機能、ＷＴはワールドタイム機能を意味している。
また、指標部１９ａは黒色で形成され、円盤状指示部材８の矢印の機能指示部１８が下文字板７のＳＰＬの文字を指示した際に上文字板１０の窓１３から露出する位置に形成されている。
また、指標部１９ｂは赤色で形成され、円盤状指示部材８の矢印の機能指示部１８が下文字板７のＳＴＰの文字を指示した際に上文字板１０の窓１３から露出する位置に形成されている。
さらに、指標部１９ｃは青色で形成され、円盤状指示部材８の矢印の機能指示部１８が下文字板７のＲＵＮの文字を指示した際に上文字板１０の窓１３から露出する位置に形成されている。
なお、指標部１９ａ，１９ｂ，１９ｃは色によって構成されなくてもよく、例えば、絵柄又は文字等によって構成されていてもよい。
【００１７】
また、腕時計ケース１の内部には、図２に示すように、ソーラーパネル２０が下文字板７の下側に配置されている。このソーラーパネル２０は、腕時計ガラス３側からの外部光を受光して起電力を発生させるものであり、発生した起電力は例えば二次電池の充電に使用される。
このソーラーパネル２０には軸挿入孔２０ａが形成されている。
【００１８】
そして、このソーラーパネル２０の軸挿入孔２０ａ、下文字板７の軸挿入孔７ａ、円盤状指示部材８の軸挿入孔８ａ、及び、上文字板１０の軸挿入孔１０ａには、腕時計ムーブメント６ａに連結された指針用の駆動軸５０が下方から挿入されている。この指針軸５０の上文字板１０から上方に突出する部分には秒針２１、分針２２及び時針２３が取り付けられている。また、ソーラーパネル２０の軸挿入孔２０ａ及び下文字板７の軸挿入孔７ａには、腕時計ムーブメント６ａに連結され指針用の駆動軸５０を内包する指示部材用の駆動軸５０ｄが下方から挿入されている。この軸筒５１には円盤状指示部材８が取り付けられている。
この駆動軸５０は、図６に示すように、秒針軸５０ａ、分針軸５０ｂ、時針軸５０ｃ及び機能指示部用の軸５０ｄから構成されている。これら軸５０ａ、５０ｂ、５０ｃ及び５０ｄは入れ子式に配設された構造となっている。そして、秒針軸５０ａの上端には秒針２１が、分針軸５０ｂの上端には分針２２が、時針軸５０ｃの上端には時針２３が、機能指示部用の軸５０ｄには円盤状指示部材８がそれぞれ取り付けられている。
この結果、指針である秒針２１、分針２２及び時針２３と円盤状指示部材８とは同一軸心となっている指針用の駆動軸５０を中心として回転するように構成されている。
【００１９】
次に、腕時計１００の機能モード切替の際の動作を図７に基づいて説明する。
この機能モード切替に先立ち、腕時計１００が現在時刻を表示する基本腕時計機能モードにあるときに、図１に示すりゅうずＳＲをプッシュすると、そのりゅうずＳＲをプッシュする毎に、図３に示す円盤状指示部材８が予め決められた角度ずつ回転し、上文字板１０の機能指示部１２がこの予め決められた角度ずつ回転する円盤状指示部材８の複数の機能表示部ＳＴ，ＴＲ，ＡＬ，ＷＴ，ＴＭを1つずつ指示する。これにより、複数（この実施の形態の場合は５つ）の機能表示部ＳＴ，ＴＲ，ＡＬ，ＷＴ，ＴＭのいずれかのモードに切り替わり、使用しようとする機能モードの一つが設定される。
【００２０】
次に、図７に従って、このようにして設定された機能モードのうちのストップウォッチ機能モードを例に、その細目の機能モードを説明する。
ストップウォッチ機能モードが設定されると、これに応答して、円盤状指示部材８が自動的に回転し、それに設けられている機能指示部１８が下文字板７のＳＴＰを指示するとともに、上文字板１０の窓１３に赤色の機能表示部１９ｂが露出する。また、時針２３、分針２２、秒針２１が０時０分０秒を指示する。この状態がストップウォッチ機能モードの「初期」（ＲＥＳＥＴ）の状態を示す。
この状態のもとで、図１に示す押釦スイッチＳ２をプッシュすると、当該押釦スイッチＳ２はＳＴＡＲＴスイッチとして機能するので、円盤状指示部材８が回転し、機能指示部１８が下文字板７の「ＲＵＮ」４３ｃを指示するとともに、上文字板１０の窓１３に黒色の機能表示部１９ａが露出する。また、同時に、時針２３、分針２２、秒針２１が運針動作し始める。
【００２１】
このＲＵＮ（ＳＴＡＲＴ）の状態から、再度、図１に示す押釦スイッチＳ２をプッシュすると、当該押釦スイッチＳ２はＳＴＯＰスイッチとして機能するので、円盤状指示部材８が回転し、機能指示部１８が下文字板７の「ＳＴＰ」４３ｂを指示するとともに、上文字板１０の窓１３に赤色の機能表示部１９ｂが露出する。また、同時に、運針動作中であった時針２３、分針２２、秒針２１が運針動作を停止する。時針２３、分針２２、秒針２１は、分針、秒針、２０分の１秒をそれぞれ示す針となっているので、これら時針２３、分針２２、秒針２１の運針動作により、押釦スイッチＳ２を最初に押圧操作した最初の時点からの経過時間（積算時間）を経時的に指示する。この状態がストップウォッチ機能モードの「ＳＴＯＰ」の状態を示す。
次に、そのＳＴＰの状態から図１に示す押釦スイッチＳ１をプッシュすると、当該押釦スイッチＳ１はＲＥＳＥＴスイッチとして機能するので、円盤状指示部材８の機能指示部１８が下文字板７の「ＳＴＰ」４３ｂの位置を維持し、且つ、上文字板１０の窓１３に赤色の機能表示部１９ａが露出したまま、時針２３、分針２２、秒針２１が動作して０時０分０秒を指示する。これによりリセット状態となる。
【００２２】
一方、図１に示す押釦スイッチＳ２を最初にプッシュしてＲＵＮ（ＳＴＡＲＴ）の状態のもとで、図１に示す押釦スイッチＳ１をプッシュすると、当該押釦スイッチＳ１はＳＰＩＬＩＴスイッチとして機能するので、円盤状指示部材８の機能指示部１８が下文字板７の「ＳＰＬ」４３ａを指示するとともに、上文字板１０の窓１３に青色の機能表示部１９ｃが露出する。また、同時に、時針２３、分針２２、秒針２１は、分針、秒針、２０分の１秒をそれぞれ示す針となっているので、これら時針２３、分針２２、秒針２１の運針動作により、スプリットタイム（スタート地点から任意の地点までの経過時間）を指示する。この状態がストップウォッチ機能モードの「ＳＰＩＬＩＴ」の状態を示す。
そして、この状態で５秒間以上放置すると、ＳＰＬ機能が自動的に解除されて、ＲＵＮ機能（ＳＴＡＲＴ機能）に戻り、円盤状指示部材８の機能指示部１８が下文字板７のＲＵＮを指示するとともに、上文字板１０の窓１３に黒色の機能表示部１９ａが露出する。また、同時に、時針２３、分針２２、秒針２１は、分針、秒針、２０分の１秒をそれぞれ示す針となっているので、これら時針２３、分針２２、秒針２１の運針動作により、押釦スイッチＳ２を最初に押圧操作した最初の時点からのトータルな経過時間（積算時間）を経時的に指示する。
【００２３】
この実施形態の腕時計１００によれば次のような効果が得られる。
すなわち、機能指示針８は時刻を示す指針である時針２３、分針２２、秒針２１と同一の駆動軸５０に配設されているので、機能指示針８の半径方向の長さ寸法を十分に確保できる。したがって、円盤状指示部材８の機能指示部１８によって指示できる機能表示部の「ＳＰＬ」４３ａ、「ＳＴＰ」４３ｂ、「ＲＵＮ」４３ｃの配置面積を大きくすることができるので、視認性を高めることができる。
また、機能表示部の「ＳＰＬ」４３ａ、「ＳＴＰ」４３ｂ、「ＲＵＮ」４３ｃが腕時計１００の中心である駆動軸５０に対して円弧状に並ぶので、機能表示部の「ＳＰＬ」４３ａ、「ＳＴＰ」４３ｂ、「ＲＵＮ」４３ｃが見やすいものとなる。
さらに、円盤状指示部材８を大きくすることができるので、円盤状指示部材８の表面（上面）に複数の機能表示部の「ＡＬ」、「ＴＲ」、「ＳＴ」、「ＴＭ」、「ＷＴ」を形成することが容易となり、この複数の機能表示部の「ＡＬ」、「ＴＲ」、「ＳＴ」、「ＴＭ」、「ＷＴ」を、上文字板１０に形成した機能指示部１２で指示するように構成することができ、機能指示のためのバリエーションを増大させることができる。
また、指針である時針２３、分針２２、秒針２１の駆動軸５０と同心的な箇所に複数の機能表示部の「ＳＰＬ」４３ａ、「ＳＴＰ」４３ｂ、「ＲＵＮ」４３ｃが形成されているので、機能指示部１８が指示する機能表示部の「ＳＰＬ」４３ａ、「ＳＴＰ」４３ｂ、「ＲＵＮ」４３ｃが読みやすくなる。
【００２４】
なお、第１実施形態において見切り枠１６を設けずに、円盤状指示部材８の外周により近い箇所に機能指示部の「ＳＰＬ」４３ａ、「ＳＴＰ」４３ｂ、「ＲＵＮ」４３ｃ等を形成してもよい。或いは、見切り枠１６に機能表示部の「ＳＰＬ」４３ａ、「ＳＴＰ」４３ｂ、「ＲＵＮ」４３ｃ等を形成してもよい。
【００２５】
（第２実施形態）
図８〜図１０は、本発明に係る腕時計の他の実施形態を示している。なお、この第２実施形態は略第１実施形態と略同様な構成及び作用を有している。したがって、上記第１の実施形態と同一の部品には、同一の符号を付してその説明を適宜省略する。
【００２６】
この腕時計２００は第１の実施形態と同様にアナログ式腕時計である。この腕時計２００は、上文字板１０と下文字板７との間に、円盤状指標部材８の他に、副針（機能指示針）６０を備えている。また、この腕時計２００の下文字板７には、機能表示部の「ＳＰＬ」４３ａ，「ＳＴＰ」４３ｂ，「ＲＵＮ」４３ｃと円盤状指示部材８との間の箇所に、他の複数の機能表示部が形成されている。この他の機能表示部は、具体的には、この他の複数の機能表示部はラップの数を示す１〜５の数字から構成されている。
【００２７】
この腕時計２００は、時計モジュール６ａから上方へ延びる駆動軸５０を備えている。
この駆動軸５０は、図１０に示すように、分針軸５０ｂ、時針軸５０ｃ、副針軸５０ｅ及び機能指示部用の軸５０ｄから構成されている。これら軸５０ｂ、５０ｃ、５０ｅ及び５０ｄはこれらが入れ子式に配設された構造となっている。そして、分針軸５０ｂの上端には分針２２が、時針軸５０ｃの上端には時針２３がそれぞれ取り付けられている。また、副針軸５０ｅには副針６０が、機能指示部用の軸５０ｄには円盤状指示部材８がそれぞれ取り付けられている。
この結果、指針（分針２２及び時針２３）と副針６０及び円盤状指示部材８とは同一軸心となっている指針用の駆動軸５０を中心として回転するように構成されている。
【００２８】
この腕時計２００によれば、副針６０は、腕時計２００がスプリット表示機能モード、つまり、円盤状指示部材８の機能表示部１８が「ＳＰＬ」４３ａを指示する際に、副針６０がＬＡＰ数（周回数）を指示する。
【００２９】
その結果、この第２実施形態によれば、腕時計２００がスプリット表示機能モードにあるとき、ユーザはスプリットタイムと共に周回数を確認することができる。したがって、周回コースをジョギング等する場合に、ペース配分等を設定するのに役立つものとなる。
【００３０】
なお、この第２実施形態では、時針２３及び分針２２は設けられているが秒針２１は設けられていない。ただし、秒針２１を設けてもよいことは勿論である。
【００３１】
（第２実施形態の機能表示部の変形例）
図１１は第２実施形態の変形例１を示している。この変形例の腕時計では、機能表示部の「ＳＰＬ」４３ａ、「ＳＴＰ」４３ｂ、「ＲＵＮ」４３ｃと円盤状指示部材８との間に、時刻を示す０時から２４時までの外周目盛部４３ｄ（複数の機能表示部）が形成されている。この副針６０は、腕時計がワールドタイム機能モードのときに、選択された都市に対応する０時から２４時までの外周目盛部４３ｄ中の時刻を指示する。
【００３２】
この腕時計によれば、副針６０は、腕時計がワールドタイム機能モードのときに、選択された都市に対応する時刻を指示することができる。
【００３３】
その結果、指針である時針２３、分針２２、秒針２１を動かさなくても、副針６０だけで大凡のワールドタイムを指示することができる。
【００３４】
なお、この変形例１において、上文字板１０上で動作させる指針を分針２２及び秒針２１とし、上文字板１０と下文字板７との間に設けられる副針６０を時針２３として構成してもよい。
【００３５】
（第２実施形態の副針の変形例）
図１２は第２実施形態の副針の変形例を示している。この変形例の副針７０は、第２実施形態の副針６０に代えて設けられるもので、その形状が異なっている。
この副針７０は、機能指示部となるくさび形状の先端を除く部分が略帯状に形成された針主部７１と、針主部７１の後端に連設され後方に向けて拡開する扇状部７２とを備えている。
このうち扇状部分７２には、当該扇状部分７２の円弧状の後縁に沿って複数の指標部１９ｄ〜１９ｈが形成されている。この指標部１９ｄ〜１９ｈは１〜５の数字（文字）から構成されている。
【００３６】
この変形例によれば、副針７０がラップ数を示す１〜５の数字の１つを指示した際に、窓１３に、当該指示した数と同じ数を示す指標部が露出する。
【００３７】
その結果、窓１３に露出する数字を見れば、ラップ数（周回数）を容易に確認することができる。
【００３８】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
時刻を指示する指針と、
所定箇所に開口部又は切欠き部が設けられた第１文字板と、
この第１文字板の下側に配置されて前記開口部又は前記切欠き部から露出し前記指針の駆動軸と同心的な箇所に複数の機能表示部が形成された第２文字板と、
前記第１文字板と前記第２文字板との間に配置されて前記開口部又は前記切欠き部に一部が露出し当該第２文字板の上で回転することによって前記複数の機能表示部のうちの１つを選択的に指示する機能指示部が形成された円盤状指示部材とを備え、
前記指針と前記円盤状指示部材とは前記駆動軸を回転中心として回転するように構成されていることを特徴とする腕時計。
＜請求項２＞
前記円盤状指示部材の上面には他の複数の機能表示部が形成され、前記第１文字板には前記円盤状指示部材の回転に伴って前記第１切欠き部から露出する箇所で前記他の複数の機能表示部の１つを選択的に指示する他の機能指示部が形成されていることを特徴とする請求項１に記載の腕時計。
＜請求項３＞
前記第１文字板と前記第２文字板との間には、前記円盤状指示部材の上方に、針先部を備えた機能指示針が設けられ、
前記機能指示針は、前記駆動軸を回転中心として回転し、この回転によって、前記針先部が前記第１文字板に形成された開口部又は切欠き部から露出可能に構成され、当該開口部又は切欠き部から露出する箇所で、前記第２文字板又は前記円盤状指示部材に形成された複数の機能表示部の１つを選択的に指示するように構成されていることを特徴とする請求項１又は２に記載の腕時計。
【符号の説明】
【００３９】
１００    腕時計
１    腕時計ケース
７    下文字板
８    円盤状指示部材
１０    上文字板
１１    切欠き部
１３    窓（開口部）
１５    切欠き部
１６，１７    見切り枠
１８    機能指示部
１９ａ，１９ｂ，１９ｃ  指標部
２０    ソーラーパネル
ＳＰＬ，ＳＴＰ，ＲＵＮ    機能表示部
ＴＭ，ＳＴ，ＴＲ，ＡＬ，ＷＴ  機能表示部
【図１】
0005927810.tif 000002
【図２】
0005927810.tif 000003
【図３】
0005927810.tif 000004
【図４】
0005927810.tif 000005
【図５】
0005927810.tif 000006
【図６】
0005927810.tif 000007
【図７】
0005927810.tif 000008
【図８】
0005927810.tif 000009
【図９】
0005927810.tif 000010
【図１０】
0005927810.tif 000011
【図１１】
0005927810.tif 000012
【図１２】
0005927810.tif 000013